(57)【要約】【課題】建物等の構造物において、制振機構部をわずかなスペースを利用して組み込むことができ、しかも、それを低コストで実現できるようにすること。【解決手段】耐力パネル２の縦枠２ａにボルト通孔３が設けられると共に、柱１に上下方向を向く長孔４が設けられ、ボルト通孔３と長孔４にボルト５が通されて柱１と耐力パネル２とがボルト接合され、かつ、長孔４の部分に制振材が設けられ、柱１と耐力パネル２とが振動により長孔４を利用して相対変位をした際、ボルトが制振材に作用し、制振材がエネルギーを吸収して前記振動を減衰するようになされている制振形のボルト接合構造である。制振材は、例えば粘性材料８からなり、該粘性材料８を収容する容器７が設けられて、絞り１１が形成されているとよい。【選択図】      図１
2006257688.tif 000002
【特許請求の範囲】
【請求項１】
第１部材にボルト通孔が設けられると共に、第２部材にルーズホールが設けられ、前記ボルト通孔とルーズホールとにボルトが通されて部材同士がボルト接合されており、かつ、
前記ルーズホール部分に制振材が設けられ、第１部材と第２部材とが振動によりルーズホールを利用して相対変位をした際、ボルトが制振材に作用し、該制振材がエネルギーを吸収して前記振動を減衰するようになされていることを特徴とする制振形のボルト接合構造。
【請求項２】
前記制振材が粘性材料からなり、
第２部材のルーズホール部分に、ルーズホールの側に存在するボルト頭部又はナットを収容可能な容器が設けられ、該容器内に粘性材料が収容され、前記第１部材と第２部材とが振動によりルーズホールを利用して相対変位をした際、容器内でボルト頭部又はナットが粘性材料中を移動し、該粘性材料がエネルギーを吸収して振動を減衰するようになされている請求項１に記載の制振形のボルト接合構造。
【請求項３】
前記ルーズホールが長孔からなり、前記容器が長容器からなって該容器内にボルト頭部又はナットによって絞りが形成され、第１部材と第２部材とが振動により長孔を利用して往復相対変位をした際、前記ボルト頭部又はナットを挟む一方の室の粘性材料ともう一方の室の粘性材料とが該絞りを通じて往き来するようになされている請求項２に記載の制振形のボルト接合構造。
【請求項４】
前記第１，第２の部材が、左右に隣接して備えられる柱と耐力パネルの縦枠とからなって、高さ方向の複数箇所でボルト接合されており、
各ボルト接合部のルーズホールが上下方向を向く長孔からなり、該長孔により、柱と耐力パネルの縦枠とが上下方向の相対変位を許容され、前後方向の相対変位を規制されるようになされている請求項１乃至３のいずれか一に記載の制振形のボルト接合構造。
【発明の詳細な説明】
【技術分野】
【０００１】
本発明は、制振形のボルト接合構造に関する。
【背景技術】
【０００２】
例えば、建物に用いられる地震用の制振装置として、従来より種々の制振装置が提供されているが、それらは一般に、設置に大きなスペースを必要とし、適用できる建物の種類に制限があり、またコストも非常に高くつくという問題がある。
【発明の開示】
【発明が解決しようとする課題】
【０００３】
本発明は、上記のような従来の問題点に鑑み、制振機構部をわずかなスペースを利用して組み込むことができて、適用できる建物等の構造物の範囲を広くすることができ、しかも、それを低コストで実現することができるようにすることを課題とする。
【課題を解決するための手段】
【０００４】
上記の課題は、第１部材にボルト通孔が設けられると共に、第２部材にルーズホールが設けられ、前記ボルト通孔とルーズホールとにボルトが通されて部材同士がボルト接合されており、かつ、
前記ルーズホール部分に制振材が設けられ、第１部材と第２部材とが振動によりルーズホールを利用して相対変位をした際、ボルトが制振材に作用し、該制振材がエネルギーを吸収して前記振動を減衰するようになされていることを特徴とする制振形のボルト接合構造によって解決される。
【０００５】
この構造では、構造物において部材同士を連結するのに用いられるボルト接合部において、ボルトを通す孔をルーズホールにし、そこに制振材を設けて制振機構部を形成し、ボルトを制振材に作用させて振動を減衰するようにしたものであるから、制振機構部をわずかなスペースを利用して組み込むことができて、適用できる建物等の構造物の範囲を広くすることができ、しかも、該制振機構部は、ボルトを通す孔をルーズホールにし、そこにボルトの作用を受けるように制振材を設置した簡素な構造のものであるから、それを低コストで実現することができる。
【０００６】
上記の制振形のボルト接合構造において、制振材が粘性材料からなり、第２部材のルーズホール部分に、ルーズホールの側に存在するボルト頭部又はナットを収容可能な容器が設けられ、該容器内に粘性材料が収容され、前記第１部材と第２部材とが振動によりルーズホールを利用して相対変位をした際、容器内でボルト頭部又はナットが粘性材料中を移動し、該粘性材料がエネルギーを吸収して振動を減衰するようになされているとよい。
【０００７】
この場合は、制振材として粘性材料を用い、ルーズホールの側に存在するボルト頭部又はナットを、容器に収容した粘性材料中で移動させて振動を減衰するようにしたものであるから、粘性材料を容器でしっかりと保持することができて安定した減衰力を得ることができる。
【０００８】
特に、ルーズホールが長孔からなり、前記容器が長容器からなって該容器内にボルト頭部又はナットによって絞りが形成され、第１部材と第２部材とが振動により長孔を利用して往復相対変位をした際、前記ボルト頭部又はナットを挟む一方の室の粘性材料ともう一方の室の粘性材料とが該絞りを通じて往き来するようになされているとよい。
【０００９】
この場合は、容器内にボルト頭部又はナットによって形成された絞りを通じてボルト頭部又はナットを挟む一方の室の粘性材料ともう一方の室の粘性材料とが往き来することにより、ボルト頭部又はナットが単に粘性材料中を動く場合に比べて大きな減衰力を得ることができる。
【００１０】
また、上記の制振形のボルト接合構造において、前記第１，第２の部材が、左右に隣接して備えられる柱と耐力パネルの縦枠とからなって、高さ方向の複数箇所でボルト接合されており、
各ボルト接合部のルーズホールが上下方向を向く長孔からなり、該長孔により、柱と耐力パネルの縦枠とが上下方向の相対変位を許容され、前後方向の相対変位を規制されるようになされているとよい。
【００１１】
この場合は、柱と耐力パネルの縦枠とのボルト接合部を利用して、制振機構部をわずかなスペースで組み込むことができ、しかも、ボルトを通す孔をルーズホールにし、そこにボルトの作用を受けるように制振材を設置した簡素な構造のものであるから、それを低コストで実現することができ、各ボルト接合部に組み込まれることによって大きな振動減衰力をもたせることができる。特に、ルーズホールが上下方向を向く長孔からなり、該長孔により、柱と耐力パネルの縦枠とが上下方向の相対変位を許容され、前後方向の相対変位を規制されるようになされているので、地震等による面内方向の水平振動を効果的に減衰することができると共に、風などによる面外方向の力に対してはそれにしっかりと抵抗することができる。
【発明の効果】
【００１２】
本発明の制振形のボルト接合構造は、以上のとおりのものであるから、わずかなスペースを利用して組み込むことができて、適用できる建物等の構造物の範囲を広くすることができ、しかも、それを低コストで実現できる。
【発明を実施するための最良の形態】
【００１３】
次に、本発明の実施最良形態を図面に基づいて説明する。
【００１４】
図１〜図４に示す実施形態は、図２及び図３（イ）に示すように、建物に用いられる鋼製の柱１と耐力パネル２とのボルト接合部に適用した場合のもので、両者は高さ方向の複数箇所をボルト接合されており、本発明の制振形のボルト接合構造は、各ボルト接合部において用いられている。なお、１２はブレースである。
【００１５】
即ち、各ボルト接合部では、図２（ロ）に示すように、第１部材としての耐力パネル２の縦枠２ａの側にボルト通孔３が設けられると共に、第２部材としての柱１の側に上下方向を向くルーズホールとしての長孔４が設けられ、ボルト通孔３と長孔４とにボルト５が通されて柱１と耐力パネルの縦枠２ａとがボルト５とナット６とでボルト接合されており、長孔４により、柱１と耐力パネルの縦枠２ａとが上下方向の相対変位を許容される一方、前後方向の相対変位を規制されて耐力パネル２が風などによる面外方向の力に対してそれにしっかりと抵抗するようになされている。
【００１６】
そして、柱１の長孔４の部分には、図１（イ）〜（ハ）に示すように、硬質の長容器７が、長孔４の長手方向に向けられて長孔４を柱１の側からカバーするように取り付けられ、長容器７内には制振材としての粘性材料８が収容され、該粘性材料８中にボルト頭部５ａが配置されて、該ボルト頭部５ａが、容器７内において、ボルト頭部５ａを挟む一方の室９ともう一方の室１０とを連絡する絞り１１を形成し、図３（ロ）に示すように、柱１と耐力パネルの縦枠２ａとが長孔４を利用して上下方向に往復相対変位をした際、図４（イ−１）〜（ロ−２）に示すように、ボルト頭部５ａを挟む一方の室９の粘性材料ともう一方の室１０の粘性材料とが該絞り１１を通じて往き来するようになされることで、ボルト頭部５ａが粘性材料８に作用するようになされている。
【００１７】
なお、本実施形態では、この絞り１１が、ボルト頭部５ａの両サイドと天面側とにわたるように備えられているが、ボルト頭部５ａのいずれか一方のサイドだけであってもよいし、ボルト頭部５ａの両サイドだけであってもよいし、ボルト頭部５ａの天面側だけであってもよい。
【００１８】
また、長容器７は、図１（イ）に示すように、長孔４の両端の半円弧に対応する部分が長孔４の側に突出し、それを差し込み部７ａ，７ａとし、長孔４の両端部に差込み状態にされて取り付けられており、これら差し込み部７ａ，７ａによって、粘性材料８中に配置されているボルト頭部５ａが長容器７内で往き来する際の長容器７の固定をしっかりとしたものにしている。
【００１９】
上記の構造では、柱１と耐力パネルの縦枠２ａとを連結するのに用いられる各ボルト接合部において、ボルト５を通す孔４を長孔にし、そこに制振材としての粘性材料８を設けて制振機構部を形成し、ボルト５を粘性材料８に作用させて振動を減衰するようにしたものであるから、制振機構部を部材同士のボルト接合部分というわずかなスペースを利用して組み込むことができ、しかも、該制振機構部は、ボルト５を通す孔４を長孔にし、そこにボルト５の作用を受けるように粘性材料８を設置した簡素な構造のものであるから、それを低コストで実現することができる。
【００２０】
また、制振材として粘性材料８を用い、長孔４の側に存在するボルト頭部５ａを、容器７に収容した粘性材料８中で移動させて振動を減衰するようにしたものであるから、粘性材料８を容器でしっかりと保持することができて安定した減衰力を得ることができる。
【００２１】
特に、ルーズホールを長孔４とし、容器７として長容器を用い、長容器７内にボルト頭部５ａによって絞り１１を形成し、ボルト頭部５ａを挟む一方の室９の粘性材料ともう一方の室１０の粘性材料とを絞り１１を通じて往き来させてエネルギーを吸収し、振動を減衰させるようにしているので、ボルト頭部５ａが単に粘性材料中を動く場合に比べて大きな減衰力を得ることが可能になる。
【００２２】
また、上記の実施形態では、第１，第２の部材が、左右に隣接して備えられる柱１と耐力パネル２の縦枠２ａとからなって、高さ方向の複数箇所でボルト接合されており、各ボルト接合部に上記のような制振機構部が備えられているので、わずかな設置スペースで大きな振動減衰力をもたせることができ、しかも、ルーズホールが上下方向を向く長孔４からなっていることで、上述したように風などによる面外方向の力に対してしっかりと抵抗することができる。
【００２３】
以上に、本発明の実施形態を示したが、本発明はこれに限られるものではなく、発明思想を逸脱しない範囲で各種の変更が可能である。例えば、上記の実施形態では、長容器７内にボルト頭部５ａが配置されている場合を示したが、長孔４の側にナットがくるような場合には、ナットを長容器７内に設置するようにすればよい。
【００２４】
また、上記の実施形態では、柱１の側に長孔４を備えさせた場合を示したが、耐力パネルの縦枠２ａの側に長孔を備えさせるようにしてもよく、その場合は、耐力パネルの縦枠２ａの側に長容器７を設けるようにすればよい。また、容器は長容器に限らず、粘性材料８を保持することができる各種形態の容器が用いられてよく、その場合に、容器内に配置されるボルト頭部等が容器内に絞りを形成するか否かは問わないし、ルーズホールも長孔に限らない。
【００２５】
また、上記の実施形態は、一方のボルト通孔のみをルーズホールとした場合を示しているが、もう一方のボルト通孔もルーズホールであって、例えば長孔同士をクロスさせるようなものなどであってもよく、その場合は、該もう一方のルーズホールにも粘性材料等の制振材を設けるとよい。また、上記の実施形態では、制振材が粘性材料である場合を示したが、それに限らず、エネルギーを吸収して振動の減衰を行う各種制振材が用いられてよい。
【００２６】
更に、上記の実施形態では、柱１と耐力パネルの縦枠２ａとのボルト接合部に適用した場合を示したが、本発明は、各種部材同士のボルト接合部に広く用いることができるものであることはいうまでもない。
【図面の簡単な説明】
【００２７】
【図１】実施形態の構造を示すもので、図（イ）は長孔とボルトと粘性材料を分離状態にして示す斜視図、図（ロ）は断面側面図、図（ハ）は図（ロ）のＩ−Ｉ線矢視図である。
【図２】図（イ）は柱と耐力パネルとを分離状態にして示す正面図、図（ロ）は制振材を省略したボルト接合部の要部拡大分解斜視図、図（ハ）は長孔とボルトとの関係を示す正面図である。
【図３】図（イ）は柱と耐力パネルをボルト接合した状態の正面図、図（ロ）は耐力パネルに面内方向の水平力が作用したときの正面図である。
【図４】作動状態を示すもので、図（イ−１）及び図（ロ−１）はそれぞれ断面側面図、図（イ−２）及び図（ロ−２）はそれぞれ断面正面図である。
【符号の説明】
【００２８】
１…柱（第２部材）
２…耐力パネル（第１部材）
２ａ…縦枠
３…ボルト通孔
４…長孔（ルーズホール）
５…ボルト
５ａ…ボルト頭部
７…長容器（容器）
８…粘性材料（制振材）
９…一方の室
１０…もう一方の室
１１…絞り
【図１】
2006257688.tif 000003
【図２】
2006257688.tif 000004
【図３】
2006257688.tif 000005
【図４】
2006257688.tif 000006